(57)【特許請求の範囲】
【請求項１】
電気コネクタであって、
底面及び後面を有する絶縁体であって、前から後の方向に沿って延在している少なくとも２つの収容溝が設けられており、各収容溝が、前記後面で開口している後挿入開口部を有し、前記収容溝は、前記底面で開口している下開口部を有し、前記収容溝の内側壁には、後から前の方向に沿って延在するガイド溝及び保持溝が設けられている、絶縁体と、
該絶縁体に固定された複数の端子と、
前記絶縁体の前記収容溝にそれぞれ保持されている少なくとも２つの嵌合爪と、を備え、各嵌合爪が、
プレート本体、
前記前から後の方向に沿って延在し、前記プレート本体から側方方向に沿って突出している側方突出部、及び
前記プレート本体の下縁に延在しているはんだ付け部、を備え、
前記嵌合爪の前記プレート本体は、前記後挿入開口部を介して前記収容溝に挿入され、
前記側方突出部は、前記ガイド溝を通過して、前記保持溝内に収容され、前記側方突出部の後端は、前記保持溝の内側後壁面によって留止され、前記側方突出部の下縁は、前記保持溝の内側下壁面によって留止され、
前記嵌合爪の上縁輪郭は、上に向かって移動する前記嵌合爪の位置及び前に向かって移動する前記嵌合爪の位置を制限するように、前記収容溝の内側上壁面と協働する少なくとも１つの階段状輪郭を備え、
前記はんだ付け部は、前記下開口部に露出されている、電気コネクタ。
【請求項２】
前記ガイド溝の内側面が、前記収容溝に向かって前記後から前の方向に沿って斜めに延在する内側面である、請求項１に記載の電気コネクタ。
【請求項３】
前記側方突出部の前端及び前記後端が、前記プレート本体に一体的に接続されている、請求項２に記載の電気コネクタ。
【請求項４】
前記側方突出部の前記前端が、傾斜ガイド面として形成されている、請求項３に記載の電気コネクタ。
【請求項５】
全ての前記嵌合爪の全ての前記側方突出部が、前記絶縁体の同じ側方方向に向かって突出し、
全ての前記収容溝の全ての前記ガイド溝及び全ての前記保持溝が、前記絶縁体の同じ側方方向に位置付けられる、請求項１に記載の電気コネクタ。
【請求項６】
前記収容溝のうちの１つの前記保持溝の側面が、外方に開口し、
前記絶縁体の前面が、長溝を有し、
前記収容溝のうちの前記１つの前記保持溝が、前記長溝と連通している、請求項５に記載の電気コネクタ。
【請求項７】
前記ガイド溝の下方に位置付けられている前記絶縁体の２つの側部の２つの内側壁面には、陥凹部が各々形成され、該陥凹部及び前記嵌合爪の対応する側面が、前記下開口部に拡大した間隙を形成する、請求項１に記載の電気コネクタ。
【請求項８】
前記嵌合爪の前記上縁輪郭が、少なくとも１つの階段状輪郭を備え、
前記収容溝の前記内側上壁面が、上に向かって移動する前記嵌合爪の位置及び前に向かって移動する前記嵌合爪の位置を制限するように、前記嵌合爪の前記少なくとも１つの階段状輪郭と協働する前記少なくとも１つの階段状輪郭を相応して備える、請求項１に記載の電気コネクタ。
【請求項９】
前記嵌合爪の前記上縁輪郭が、１つの小さい階段状輪郭及び１つの大きい階段状輪郭を備え、
前記収容溝の前記内側上壁面が、１つの小さい階段状輪郭及び１つの大きい階段状輪郭を相応して備える、請求項８に記載の電気コネクタ。
【発明の詳細な説明】
【技術分野】
【０００１】
関連出願
本出願は、２０１５年９月１４日に出願された中国出願第２０１５２０７０９０２０．６号の優先権を主張するものであり、同出願は、その全体が参照により本明細書に組み込まれる。
【０００２】
本開示は、電気コネクタに関する。
【背景技術】
【０００３】
台湾実用新案第ＴＷＭ２５１３１２号公報には、ベースプレート部と、ベースプレート部の上縁に形成され、コネクタの挿入溝の上縁に相応して挿入されるように、徐々にベースプレート部の第１の側方方向に向いている少なくとも鉤状部と、を備える、平板状のコネクタ固定挿入プレートが開示されている。しかしながら、固定挿入プレートは、鉤状部を有するため、固定挿入プレートをコネクタの挿入溝に挿入後、固定挿入プレートは、鉤状部を介してプラスチック製の挿入溝に強制的に固定される。こうした設計では、鉤状部は、挿入及び取り付けの間に挿入溝をこすって損傷させることから、保持力の量の制御は容易ではなく、取り付け後、固定挿入プレートが容易に緩むこととなり、挿入の際かなりの労力を必要すること、固定挿入プレートが容易に位置付けられないことなど、取り付けが不便になる。
【０００４】
台湾特許公報第ＴＷ５３９２９６Ｕ号では、回路基板に装着されたコネクタの位置付け効果を強化するための電気コネクタの改良型固定用耳掛止部について開示している。改良型固定用耳掛止部は主に耳掛止部を備え、耳掛止部には、僅かな弾性を有し、その側面に位置付けられる掛止部材が設けられ、電気コネクタの本体には耳掛止部を取り付けるための挿入溝が設けられている。耳掛止部が挿入されると、挿入溝の隣接する壁面によって掛止部材が圧縮され、耳掛止部が、当接及び位置付けられる挿入溝に予め設定されている当接部に摺動するが、挿入中、コネクタの本体が損傷することはなく、従来の耳掛止部の問題を改善することができ、ここでは、挿入溝に強制的に摺動させるために、突出した鉤状部を使用する、すなわち、突出した鉤状部では、挿入溝をこすって損傷させ、従来の耳掛止部の取り付けが容易ではない。しかしながら、耳掛止部の弾性掛止部材の保持力には限界があり、また、掛止部材が弾性を有することから、耳掛止部を容易に緩めること又は動かすことが容易になる。
【発明の概要】
【課題を解決するための手段】
【０００５】
上記課題を解決するために、本発明の開示は、絶縁体と、絶縁体に固定された複数の端子と、絶縁体に保持された少なくとも２つの嵌合爪と、を備える、電気コネクタを提供する。絶縁体は、底面及び後面を有し、絶縁体は、前から後の方向に沿って延在する少なくとも２つの収容溝を備え、各収容溝は、後面で開口している後挿入開口部を有し、収容溝は、底面で開口している下開口部を有し、収容溝の内側壁には、後から前の方向に沿って延在するガイド溝及び保持溝が設けられている。少なくとも２つの嵌合爪は、絶縁体の収容溝にそれぞれ保持される。各嵌合爪は、プレート本体と、前から後の方向に沿って延在しプレート本体から側方方向に沿って突出する側方突出部と、プレート本体の下縁に延在するはんだ付け部と、を備える。嵌合爪のプレート本体は、後挿入開口部を通って収容溝に挿入され、側方突出部は、ガイド溝を通って保持溝に収容され、側方突出部の後端が保持溝の内側後壁面によって留止され、側方突出部の下縁が保持溝の内側下壁面によって留止される。嵌合爪の上縁輪郭は、上に向かって移動する嵌合爪の位置及び前に向かって移動する嵌合爪の位置を制限するように、収容溝の内側上壁面と協働する少なくとも１つの階段状輪郭を備え、はんだ付け部分は、下開口部に露出される。
【０００６】
本開示の一実施形態において、ガイド溝の内側面は、収容溝に向かって後から前の方向に沿って斜めに延在する内側面である。
【０００７】
本開示の一実施形態では、側方突出部の前端及び後端は、プレート本体に一体的に接続されている。
【０００８】
本発明の一態様では、側方突出部の前端は、傾斜ガイド面として形成される。
【０００９】
本開示の一実施形態では、全ての嵌合爪の全ての側方突出部が、絶縁体の同じ側方方向に向かって突出し、全ての収容溝の全てのガイド溝及び全ての保持溝が、絶縁体の同じ側方方向に位置付けられる。
【００１０】
本開示の一実施形態では、収容溝のうちの１つの保持溝の側面が、外方に開口し、絶縁体の前面は、長溝を有し、収容溝のうちの１つの保持溝は、長溝と連通している。
【００１１】
本開示の一実施形態では、ガイド溝の下方に位置付けられている絶縁体の２つの側部の２つの内側壁面には、陥凹部が各々形成され、陥凹部及び嵌合爪の対応する側面が、下開口部に拡大した間隙を形成している。
【００１２】
本開示の一実施形態では、嵌合爪の上縁輪郭は、少なくとも１つの階段状輪郭を備え、収容溝の内側上壁面は、上に向かって移動する嵌合爪の位置及び前に向かって移動する嵌合爪の位置を制限するように、嵌合爪の少なくとも１つの階段状輪郭と協働する少なくとも１つの階段状輪郭を相応して備える。
【００１３】
本開示の一実施形態では、嵌合爪の上縁輪郭は、１つの小さい階段状輪郭及び１つの大きい階段状輪郭を備え、収容溝の内側上壁面は、１つの小さい階段状輪郭及び１つの大きい階段状輪郭を相応して備える。
【００１４】
本開示の実施形態の電気コネクタでは、嵌合爪の側方突出部は、絶縁体の収容溝の保持溝に掛止され、嵌合爪の上縁輪郭は、収容溝の内側上壁面と協働し、嵌合爪を絶縁体の収容溝にしっかりと固定することを可能にする。嵌合爪と収容溝との間にいかなる破壊的干渉もないため、嵌合爪が所定の位置に容易に挿入され、しっかりとした頑強な保持力を提供するために、嵌合爪の側方突出部を収容溝の保持溝に掛止される。
【００１５】
本開示の技術的特徴及び利点は、以下の詳細な説明をよりよく理解するために、上記のように広く要約される。本開示の特許請求の範囲の技術的解決策を構成する他の技術的特徴及び他の利点を以下に記述する。本開示の当業者は、以下に開示される概念及び特定の実施形態が、本開示と同じ目的を実現するために、他の構成又は製造アプローチを変更又は設計するために容易に使用され得ることを理解するものとする。本開示の当業者であれば、このような等価の構成又はアプローチは、添付の特許請求の範囲によって規定される本開示の趣旨及び範囲から逸脱し得ないことも理解するであろう。
【００１６】
本開示の様々な観点は、添付図面に関連して行われる以下の詳細な説明によって最もよく理解されるであろう。本業界の標準的な実施態様によれば、特徴は尺度どおり描写されていないことに留意されたい。実際には、明確な説明のために、様々な特徴の寸法を任意に拡大又は縮小してもよい。
【図面の簡単な説明】
【００１７】
【図１】本開示の一実施形態の電気コネクタの概略図である。
【図２】別の角度から見た図１の電気コネクタの概略図である。
【図３】別の角度から見た図１の電気コネクタの分解図である。
【図４】別の角度から見た図１の電気コネクタの分解図である。
【図５】別の角度から見た図１の電気コネクタの概略図である。
【図６】図５の部分拡大図である。
【図７】別の角度から見た図１の電気コネクタの概略図である。
【図８】図１の電気コネクタの背面図である。
【図９】図８のＡ−Ａ線に沿って切り取った断面図である。
【図１０】図９の分解図である。
【図１１】図８のＢ−Ｂ線に沿って切り取った断面図である。
【図１２】別の角度から見た図１の電気コネクタの概略図である。
【図１３】図１２の部分拡大図である。
【発明を実施するための形態】
【００１８】
以下の開示内容は、本開示の様々な特徴を実施するために使用される様々な実施形態又は例示を提供する。本開示の開示内容を簡略化するために、構成要素及び配置の特定の例を以下に説明する。これらは確実に単なる例であり、本開示を限定するために使用されるものではない。例えば、以下の説明において、第１の特徴が第２の特徴上又はその上部に形成されることは、第１の特徴及び第２の特徴が互いに直接接触するように形成される実施形態を含んでもよく、他の特徴が第１の特徴と第２の特徴との間に形成され、このため、第１の特徴と第２の特徴は互いに直接接触しない実施形態を含んでもよい。更に、本開示は、異なる例において構成要素の記号及び／又は文字が繰り返されてもよい。繰り返しは、簡略化及び明確化のために使用されるが、様々な実施形態及び／又は考察される構造の間の関係の優位性を示すために使用されるものではない。
【００１９】
更に、本開示は、「下方」、「より低い」、「相対的に低い」、「より高い」、「相対的に高い」などの空間的に対応する用語を使用して、任意の構成要素又は特徴と別の構成要素又は特徴との関係を記述してもよい。空間的に対応する用語は、図に例解する配向の他に、使用又は動作中の装置の様々な配向を含むために使用される。あるいは、装置を配向させてもよく（９０度又は他の配向方向に回転させる）、本開示において対応する空間の記述について、対応して説明してもよい。任意の特徴が別の特徴又は基板の上に形成されるとき、それらの間に他の特徴が提示され得ることを理解されたい。
【００２０】
図１は、本開示の実施形態の電気コネクタ１の概略図であり、図２は、別の角度から見た図１の電気コネクタ１の概略図である。電気コネクタ１は、絶縁体１３と、複数の導電端子１２と、少なくとも２つの嵌合爪１５とを備える。絶縁体１３は、前面１３Ａと、後面１３Ｂと、底面１３Ｃとを有する。絶縁体１３の前面１３Ａは、接合コネクタ（図示せず）を挿入するための複数の挿入孔１１を備え、複数の端子溝１４の各々が、１つの挿入孔１１と相応して連通している。複数の導電端子１２は、絶縁体１３の端子溝１４にそれぞれ固定され、導電端子１２の接合端は、挿入孔１１内に位置付けられ、接合コネクタが挿入されると、導電端子１２の接合端と接合コネクタの端子との電気的接続が確立される。
【００２１】
図３は、別の角度から見た図１の電気コネクタ１の分解図である。図４は、別の角度から見た図１の電気コネクタ１の分解図である。絶縁体１３には、前から後の方向に沿って延在する複数の収容溝１３０が設けられている。電気コネクタ１は、絶縁体１３の収容溝１３０内にそれぞれ保持された嵌合爪１５を備える。各嵌合爪１５は、プレート本体１５１と、プレート本体１５１から側方方向に沿って突出し、絶縁体１３の前から後の方向に沿って延在する側方突出部１５３と、プレート本体１５１の下縁においてはんだ付け部１５５と、を備える。本開示の一実施形態では、側方突出部１５３は長く、側方突出部１５３の前端１５３Ａ及び後端１５３Ｂがプレート本体１５１に一体的に連結され、側方突出部１５３の上縁及び下縁も、プレート本体１５１に一体的に連結されている。別の実施形態では、側方突出部１５３の上縁及び下縁が引き離されて、プレート本体１５１から分離されていてもよい。嵌合爪１５の側方突出部１５３は、絶縁体１３の同じ側方方向に向かって（図中左側に向かって）突出し、換言すれば、嵌合爪１５は、同じ構成部品を使用するように選択され得る。
【００２２】
収容溝１３０は、絶縁体１３の後面１３Ｂで開口している後挿入開口部１３１を有し、収容溝１３０は、絶縁体１３の底面１３Ｃで開口している下開口部１３２を有する。収容溝１３０の内側壁には、後から前の方向に沿って延在するガイド溝１３３及び保持溝１３４が設けられている。嵌合爪１５を絶縁体１３に取り付けるとき、後挿入開口部１３１を通って嵌合爪１５のプレート本体１５１を収容溝１３０に挿入し、側方突出部１５が収容溝１３０のガイド溝１３３を通過した後、側方突出部１５が保持溝１３４に収容される。
【００２３】
絶縁体１３は、左側及び右側にそれぞれ設けられた２つの収容溝１３０を有する。各収容溝１３０のガイド溝１３３及び保持溝１３４は、同じ側方方向（図中左側）に位置付けられ、すなわち、絶縁体１３の左側に設けられている収容溝１３０のガイド溝１３３及び保持溝１３４は、左側に向かって陥凹しており、絶縁体１３の右側に設けられている収容溝１３０のガイド溝１３３及び保持溝１３４も左側に向かって陥凹している。このように、絶縁体１３の左側及び右側にそれぞれ設けられている２つの収容溝１３０は、同じ構成部品である２つの嵌合爪１５をそれぞれ収容してもよい。
【００２４】
図５は、別の角度から見た図１の電気コネクタ１の概略図であり、図６は、図５の部分拡大図であり、嵌合爪１５を挿入及び誘導するための絶縁体１３の設計を例解するために、絶縁体１３が部分的に切り取られている。ガイド溝１３３の内側面１３３Ａは、絶縁体１３の後面１３Ｂから前面１３Ａ及び収容溝１３０に向かって斜めに延在する（又は、ガイド溝１３３の幅は、後面１３Ｂから前面１３Ａに向かって先細になり、ガイド溝１３３は、ガイド溝１３３の後方で幅が広く、ガイド溝１３３の前方で幅が狭い構成として構成されている）。嵌合爪１５の側方突出部１５３の前端１５３Ａは、傾斜ガイド面として形成されている。嵌合爪１５を絶縁体１３に組み込む際には、側方突出部１５３の前端１５３Ａの傾斜ガイド面により、側方突出部１５３がガイド溝部１３３に入り込み易くなり、側方突出部１５３は、ガイド溝１３３の内側面１３３Ａに沿って前方向に摺動し、ガイド溝１３３が存在する側に位置付けられた収容溝１３０の壁を押す。側方突出部１５３がガイド溝１３３を通過すると、側方突出部１５３が保持溝１３４に直ちに入り込み、同時に、ガイド溝１３３が存在し、押される側に位置付けられている収容溝１３０の壁が跳ね返り、後端にある保持溝１３４の内側後壁面１３４１が側方突出部１５３の後端１５３Ｂの背後に位置付けられる。
【００２５】
図７は、別の角度から見た図１の電気コネクタ１の概略図であり、絶縁体１３は、嵌合爪１５と絶縁体１３との間の掛止設計を例解するように、部分的に切り取られている。嵌合爪１５を収容溝１３０に挿入後、側方突出部１５３の後端１５３Ｂは保持溝１３４の内側後壁面１３４１によって留止されるために、側方突出部１５３が絶縁体１３の後面１３Ｂから外れることはない。更に、嵌合爪１５を収容溝１３０に挿入後、側方突出部１５３の下縁が保持溝１３４の内側下壁面１３４２によって留止されるため、側方突出部１５３が絶縁体１３の底面１３Ｃに向かって移動することはなく、また、保持溝１３４の内側上壁面１３４３も側方突出部１５３の上方向への移動を留止し得る。
【００２６】
図８は、図１の電気コネクタ１の背面図である。図９は、図８のＡ−Ａ線に沿って切り取った断面図である。図１０は、嵌合爪１５と絶縁体１３とを分離した状態の図９の分解図である。嵌合爪１５の上縁輪郭１５７は、上に向かって移動する嵌合爪１５の位置と、前に向かって移動する嵌合爪１５の位置とを制限するために、収容溝１３０の内側上壁面１３０１と協働する少なくとも１つの階段状輪郭を備える。例えば、収容溝１３０の内側上壁面１３０１は、上に向かって移動する嵌合爪１５の位置及び前に向かって移動する嵌合爪１５の位置を制限するため、嵌合爪１５の少なくとも１つの階段状輪郭と協働する少なくとも１つの階段状輪郭を相応して備える。具体的には、嵌合爪１５の上縁輪郭１５７は、１つの小さい階段状輪郭１５７Ａ及び１つの大きい階段状輪郭１５７Ｂを備え、収容溝１３０の内側上壁面１３０１は、１つの小さい階段状輪郭１３０１Ａ及び１つの大きい階段状輪郭１３０１Ｂを相応して備える。嵌合爪１５の大きい階段状輪郭１５７Ｂ及び小さい階段状輪郭１５７Ａは、絶縁体１３に対する嵌合爪１５の上方への移動及び絶縁体１３に対する嵌合爪１５の前方への移動を制限するように、収容溝１３０の大きい階段状輪郭１３０１Ｂ及び小さい階段状輪郭１３０１Ａとそれぞれ協働する。
【００２７】
嵌合爪１５の側方突出部１５３は、絶縁体１３の収容溝１３０の保持溝１３４に掛止され、更に、嵌合爪１５の上縁輪郭１５７が収容溝１３３の内側上壁面１３０１と協働して、嵌合爪１５を絶縁体１３の収容溝１３０にしっかりと固定することができる。嵌合爪１５と収容溝１３０との間にいかなる破壊的干渉もないため、嵌合爪１５が所定の位置に容易に挿入され、しっかりとした頑強な保持力を提供するために、嵌合爪１５の側方突出部１５３を収容溝１３０の保持溝１３４に掛止させる。
【００２８】
図１１は、図８のＢ−Ｂ線に沿って切り取った断面図である。図１及び図１１を参照すると、絶縁体１３は、それぞれが左側及び右側に設けられ、１つの嵌合爪１５を各々収容する２つの収容溝１３０を有し、左側に設けられた収容溝１３０の保持溝１３４の側面は、外方に開口し、絶縁体１３の前面１３Ａの右側は、長溝１９を有し、右側に設けられた収容溝１３０の保持溝１３４は、長溝１９と連通している。絶縁体１３は、射出成形を用いて製造することができる。長溝１９は、射出成形時に、収容溝１３０の保持溝１３４を形成するように、前面１３Ａから挿入されたコアピンを収容し、射出成形完了後、コアピンが取り除かれ、絶縁体１３に長溝１９が形成される。
【００２９】
図１２は、別の角度から見た図１の電気コネクタ１の概略図であり、図１３は、図１２の部分拡大図である。図９、図１２及び図１３を参照すると、嵌合爪１５のはんだ付け部１５５は、絶縁体１３の下開口部１３２に露出し、すなわち、絶縁体１３の底面１３Ｃから突出している。このように、電気コネクタ１を基板（例えば、回路基板（図示せず））に取り付ける際に、嵌合爪１５のはんだ付け部１５５を基板上のはんだに装着することができる。また、ガイド溝１３３の下方（すなわち、絶縁体１３の下開口部１３２）にそれぞれ位置付けられた絶縁体１３の２つの側面の２つの内側壁面には各々、陥凹部１３５が形成され、拡大した間隙１７が、陥凹部１３５と対応する嵌合爪１５の側面との間に形成され、基板上のはんだが毛管サイホン（capillary siphoning ）を介して絶縁体１３の内部に上方へ這い上がるのを防止する、すなわちはんだの這い上がり（solder climbing ）を回避する。
【００３０】
いくつかの実施形態の特徴は、当業者が本開示の開示内容の様々な態様をより良好に理解することができるように、上記内容に要約されている。本開示の当業者は、本開示の開示内容が、他の製造アプローチ又は構成を設計又は変更するため、その後、本開示の実施形態と同じ目的を実現し、同じ利点を得るために、容易に使用され得ることを理解されたい。本開示の当業者は、このような等価なアプローチ又は構成が、本開示の開示内容の趣旨及び範囲から逸脱することはできず、また、当業者は、本開示の開示内容の趣旨及び範囲から逸脱することなく、様々な変更、代替及び置換を行うことができることを理解されたい。
【図１】
0006559885.tif 000002
【図２】
0006559885.tif 000003
【図３】
0006559885.tif 000004
【図４】
0006559885.tif 000005
【図５】
0006559885.tif 000006
【図６】
0006559885.tif 000007
【図７】
0006559885.tif 000008
【図８】
0006559885.tif 000009
【図９】
0006559885.tif 000010
【図１０】
0006559885.tif 000011
【図１１】
0006559885.tif 000012
【図１２】
0006559885.tif 000013
【図１３】
0006559885.tif 000014